(57)【要約】【課題】比較的簡易な構成からなる農業温室において、地質の状態に影響されず施工することのできる農業用温室の基礎構造およびその工法を提供することを目的とする。【解決手段】農業用温室１０の支柱１１の下部の地中に、列状に所定間隔にて埋設された螺旋杭３１と、前記螺旋杭３１の上部において、前記螺旋杭３１と前記螺旋杭３１との間に架け渡されて固定される架設基礎体３２と、前記架設基礎体３２に設けられ、前記支柱１１の下端を受け入れて固定する固定部３２ｂとを備えるよう構成した。【選択図】    図３
2013169200.tif 000002
【特許請求の範囲】
【請求項１】
農業用温室の支柱の下部の地中に、列状に所定間隔にて埋設された螺旋杭と、
前記螺旋杭の上部において、前記螺旋杭と前記螺旋杭との間に架け渡されて固定される架設基礎体と、
前記架設基礎体に設けられ、前記支柱の下端を受け入れて固定する固定部と
を備えることを特徴とする農業用温室の基礎構造。
【請求項２】
農業用温室の支柱の下部に列状に条溝を掘る工程と、
前記条溝内の所定間隔に螺旋杭を打ち込む工程と、
前記螺旋杭間に架設基礎体を架け渡して固定する工程と、
前記架設基礎体に前記支柱の下端を固定する工程と、
前記条溝を埋設する工程と
を備えることを特徴とする請求項１に記載の農業用温室の基礎構造の施工方法。
【請求項３】
前記架設基礎体に前記支柱の下端を固定する工程と前記条溝を埋設する工程との工程間に、前記農業用温室の被覆材の裾を前記条溝内に位置させる工程を
備えることを特徴とする請求項２に記載の農業用温室の基礎構造の施工方法。
【発明の詳細な説明】
【技術分野】
【０００１】
本発明は、農業用温室の基礎構造およびその施工方法に関するものであり、より詳しくは、例えばパイプ式農業用温室のように簡易な骨組みからなる農業用温室の基礎構造およびその施工方法に関する。
【背景技術】
【０００２】
一般に、パイプ式農業用温室は、例えば２０ｍｍ乃至２５ｍｍ程度の径の鋼管パイプをアーチ状に曲成して両端部を略直線形状の支柱として形成し、このように形成されたアーチ状部材を奥行方向に３００ｍｍ乃至６００ｍｍ程度の間隔で複数個配置して、直管パイプで前記各アーチ状部材を直交方向に繋いで骨格を形成し、その上部からフィルム材を被覆し、フィルム材の裾端を地中に埋設して構成されており、このような構成の農業用温室としては、例えば、実開平１−７７３４７号（特許文献１）に記載のものが公知である。
【０００３】
しかしながら、前記のようなパイプ式農業用温室は、一般にアーチ状部材（鋼管パイプ）の下端を地面に突き刺して固定するという工法が採用されており、前記アーチ状部材（鋼管パイプ）の設置場所によっては、部分的に突き刺し固定が困難であるほど地質の固い箇所があり、施工が容易でない場合があったり、また、部分的に極度に軟弱な地質で前記アーチ状部材の固定が困難である場合が生じる。
【０００４】
一方、温室の基礎構造としては、例えば、特開２００２−３０６９号（特許文献２）に記載の農業用温室の基礎構造が提案されている。前記の農業用温室の基礎構造は、地盤に対して相互の間隔が下方に行くに従って広くなるように打ち込まれた複数の杭と、前記複数の杭と各杭の軸芯に沿った仮想線が負荷される鉛直荷重の作用線上で交差するように、各杭の上端部を結束するヘッド部（基礎ブロック）から構成されている。
【先行技術文献】
【特許文献】
【０００５】
【特許文献１】実開平１−７７３４７号公報
【０００６】
【特許文献２】特開２００２−３０６９号
【発明の開示】
【発明が解決しようとする課題】
【０００７】
しかしながら、前記特開２００２−３０６９号公報に記載された農業用温室の基礎構造は、支柱下部にコンクリート製のブロックが必要であり、基礎構造が複雑となる等、前記したパイプ式農業用温室に適合するものではない。
【０００８】
本発明は、かかる事情に鑑みてなされたものであって、比較的簡易な構成からなるパイプ式農業温室において、地質の状態に影響されず施工することのできる農業用温室の基礎構造およびその工法を提供することを目的とする。
【０００９】
さらに本発明の他の目的は、前記農業用温室に被覆されるフィルム材の裾端の埋設作業を容易に行うことのできる農業用温室の基礎構造およびその工法を提供することを目的とする。
【課題を解決するための手段】
【００１０】
請求項１に記載の農業用温室の基礎構造は、農業用温室の支柱の下部の地中に、列状に所定間隔にて埋設された螺旋杭と、前記螺旋杭の上部において、前記螺旋杭と前記螺旋杭との間に架け渡されて固定される架設基礎体と、前記架設基礎体に設けられ、前記支柱の下端を受け入れて固定する固定部とを備えることを特徴とする。
【００１１】
請求項１に記載の農業用温室にあっては、予め設けられた条溝の中に打ち込まれた螺旋杭間に架け渡された架設基礎体に、支柱下端を固定することができるので、地質の固い箇所や軟弱地盤に左右されず、地質の影響を受けずに基礎を建設することができる。
【００１２】
請求項２に記載の農業用温室の基礎構造の施工方法は、請求項１に記載の農業用温室の基礎構造の施工方法であって、農業用温室の支柱の下部に列状に条溝を掘る工程と、前記条溝内の所定間隔に螺旋杭を打ち込む工程と、前記螺旋杭間に架設基礎体を架け渡して固定する工程と、前記架設基礎体に前記支柱の下端を固定する工程と、前記条溝を埋設する工程とを備えることを特徴とする。
【００１３】
請求項２に記載の農業用温室の基礎構造の施工方法にあっては、予め設けられた条溝の中に打ち込まれた螺旋杭間に架け渡された架設基礎体に、支柱下端を固定することができるので、地質の固い箇所や軟弱地盤に左右されず、地質の影響を受けずに基礎を建設することができる。
【００１４】
請求項３に記載の農業用温室の基礎構造の施工方法は、請求項２に記載の農業用温室の基礎構造の施工方法において、前記架設基礎体に前記支柱の下端を固定する工程と前記条溝を埋設する工程との工程間に、前記農業用温室の被覆材の裾を前記条溝内に位置させる工程を備えることを特徴とする。
【００１５】
請求項３に記載の農業用温室の基礎構造の施工方法にあっては、前記螺旋杭と前記架設基礎体を前記条溝内に位置する工程を備え、前記農業用温室に被覆されるフィルム材の裾端を予め前記条溝内に位置させておいてから、前記条溝の埋設作業を行うので、別途前記農業用温室に被覆されるフィルム材の裾端の埋設作業を行う必要がなく、また、すでに立設された支柱の際を掘削する作業工程が不要となるため、前記農業用温室に被覆されるフィルム材の裾端の埋設作業を容易に行うことができる。
【発明の効果】
【００１６】
請求項１に記載の農業用温室の基礎構造によれば、農業用温室の支柱の下部の地中に、列状に所定間隔にて埋設された螺旋杭と、前記螺旋杭の上部において、前記螺旋杭と前記螺旋杭との間に架け渡されて固定される架設基礎体と、前記架設基礎体に設けられ、前記支柱の下端を受け入れて固定する固定部とを備えているので、予め設けられた条溝の中に打ち込まれた螺旋杭間に架け渡された架設基礎体に、支柱下端を固定することができるため、地質の固い箇所や軟弱地盤に左右されず、地質の影響を受けずに基礎を建設することができる。
【００１７】
請求項２に記載の農業用温室の基礎構造の施工方法によれば、請求項１に記載の農業用温室の基礎構造の施工方法であって、農業用温室の支柱の下部に列状に条溝を掘る工程と、前記条溝内の所定間隔に螺旋杭を打ち込む工程と、前記螺旋杭間に架設基礎体を架け渡して固定する工程と、前記架設基礎体に前記支柱の下端を固定する工程と、前記条溝を埋設する工程とを備えているので、予め設けられた条溝の中に打ち込まれた螺旋杭間に架け渡された架設基礎体に、支柱下端を固定することができるので、地質の固い箇所や軟弱地盤に左右されず、地質の影響を受けずに基礎を建設することができる。
【００１８】
請求項３に記載の農業用温室の基礎構造の施工方法によれば、請求項２に記載の農業用温室の基礎構造の施工方法において、前記架設基礎体に前記支柱の下端を固定する工程と前記条溝を埋設する工程との工程間に、前記農業用温室の被覆材の裾を前記条溝内に位置させる工程を備えているので、前記農業用温室の側面に被覆されるフィルム材の裾端を予め前記条溝内に位置させておいてから、前記条溝の埋設作業を行うこととなり、別途前記農業用温室に被覆されるフィルム材の裾端の埋設作業を行う必要がなく、すでに立設された支柱の際を掘削する作業工程が不要となるため、前記農業用温室に被覆されるフィルム材の裾端の埋設作業を容易に行うことができる。
【図面の簡単な説明】
【００１９】
【図１】農業用温室の要部斜視図である。
【図２】同要部正面図である。
【図３】室内からの要部斜視図である。
【図４】本発明に係る基礎構造の概略斜視図である。
【図５】同基礎構造の分解斜視図である。
【図６】螺旋杭と架設基礎材の固着状態を示す要部平面図である。
【図７】螺旋杭と架設基礎材の固着状態を示す要部側面図である。
【図８】架設基礎材と支柱材の固着状態を示す要部平面図である。
【図９】架設基礎材と支柱材の固着状態を示す要部側面図である。
【図１０】基礎構造の施工法を示す概略図である。
【図１１】（ａ）は基礎杭と架設基礎材の接続構造を示す概略分解斜視図であり、（ｂ）は取付金具の拡大図である。
【図１２】他の固定部材を示す斜視図ある。
【発明を実施するための最良の形態】
【００２０】
以下、本発明を実施するための最良の形態を図面に基づいて具体的に説明する。
【００２１】
図１乃至図３は、本発明に係る農業用温室を示すものであり、図１は本発明にかかる農業用温室の基礎を備えた農業用温室の要部斜視図であり、図２は要部正面図であり、図３は室内からの要部斜視図である。
【００２２】
図１乃至図３において、１０はパイプ式農業用温室であり、複数棟を間口方向Ｘ（図１の矢印Ｘ方向）に連棟して構成されている。
【００２３】
図中１１はアーチ状部材であり、前記アーチ状部材１１は、鋼管パイプを全体としてアーチ状に曲成して両端部を略直線形状の支柱とし上部を湾曲状の屋根部として形されており、前記屋根部の頂部で二分割された支柱材１１ａを、前記頂部において、略へ字状の中空パイプ状の接続部材１２により連結して、全体として前記アーチ状に形成している。
【００２４】
そして、前記アーチ状部材１１を、奥行方向Ｙ（図１の矢印Ｙ方向）において各棟毎に夫々複数個を立設して、前記頂部において奥行方向Ｙに延びる棟材１３を接続金具１４により連結すると共に、これらアーチ状部材１１と直交するように奥行方向Ｙに向けて長尺の鋼管からなる桁材１５〜２０を、前記アーチ状部材１１の所定箇所で接続金具（図示せず）によって連結している。そして、前記棟間の谷部には樋２１を載置固定している。
【００２５】
また、図２に示すように、前記パイプ式農業用温室１０の適宜の棟の妻面２２には、出入口２３を設けると共に、前記アーチ状部材１１から自在金具２４を介して間柱２５を連結固定している。
【００２６】
このように構成された前記パイプ式農業用温室１０の骨組の上から、フィルム材Ｆを被覆し、前記フィルム材Ｆの裾端は地中に埋設して、前記パイプ式農業用温室１０を形成している。
【００２７】
そして、前記パイプ式農業用温室１０の前記アーチ状部材１１の下端は、夫々後述する基礎構造３０によって固定されているのである。
【００２８】
図４は、本発明に係る基礎構造の概略斜視図であり、図５は、同基礎構造の分解斜視図である。前記基礎構造３０は、奥行方向Ｙに向けて列状に地中に埋設される螺旋杭３１と、前記螺旋杭３１上に架け渡される架設基礎材３２とにより構成されている。
【００２９】
前記螺旋杭３１は円筒形の鋼管から形成される杭本体３１ａの先端部に先鋭状の掘削部材３１ｂを設けており、更に前記杭本体３１ａの下半身外周には螺旋状リブ３１ｃを取り付けている。前記杭本体３１ａの頭部には、前記架設基礎材３２を固定するための基板３１ｄが溶接固定されている。
【００３０】
前記架設基礎材３２は、長尺状（例えば３ｍ乃至６ｍ程度の長さ）の金属製の角形鋼管材から構成されており、その両端部における両側面にはボルトＢを挿通するためのボルト孔３２ａが開設されている。また、前記架設基礎材３２の両側面には、適宜間隔（例えば、６００ｍｍ〜８００ｍｍ程度）にて、前記アーチ状部材１１の下端を挿通させて固定するための円筒状の取付部材３２ｂが略垂直方向に向けて複数個、溶接固定されている。
【００３１】
前記取付部材３２ｂには、前記アーチ状部材１１の下端に開設されたボルト孔１１ｂと符合する位置に前記ボルトＢを挿通するためのボルト孔３２ｃを開設している。
【００３２】
そして、前記架設基礎材３２を、前記螺旋杭３１，３１間に架け渡して、取付金具３３によって、前記螺旋杭３１の基板３１ｄに固定し、前記架設基礎体３２の前記取付部材３２ｂに前記アーチ状部材１１の下端を差し込み、前記ボルトＢとナットＮにより固着するのである。
【００３３】
前記取付金具３３はフランジ部に長孔３３ａを開設しており、後述する前記基板３１ｄの長孔３１ｅと符合させて、位置調整を行ったうえで、前記ボルトＢとナットＮにより固着するのである。
【００３４】
図６は螺旋杭と架設基礎材との固着状態を示す要部平面図であり、図７は螺旋杭と架設基礎材との固着状態を示す要部側面図であり、図８は架設基礎材と支柱材の固着状態を示す要部平面図であり、図９は架設基礎材と支柱材の固着状態を示す要部側面図である。
【００３５】
図６乃至図９に示すように、前記螺旋杭３１の基板３１ｄは、平面視において円形状となるべく、金属製板材から形成されており、該基板３１ｄには、中心から放射線状に等間隔を隔てて１０個の長孔３１ｅが開設されている。すなわち、前記長孔３１ｅ，３１ｅ・・は、それぞれ３６°の間隔を隔てて開設されている。一方、前述のとおり、前記取付金具３３にはフランジ部に長孔３３ａを一穴開設すると共に、前記架設基礎材３２の固定部にはボルト孔３３ｂを２つ開設している。
【００３６】
そして、前記螺旋杭３１と前記架設基礎材３２とを、前記取付金具３３と締結部材たる前記ボルトＢとナットＮにより固定するのであるが、締結固定する際は、前記基板３１ｄの長孔３１ｅと、前記取付金具３３の長孔３３ａとを重合させて、両者の重合する箇所Ｊにおいて、前記ボルトＢを挿通してナットＮで締結している。したがって、架設基礎材３２は前記螺旋杭３１に対して、前記長孔３１ｅおよび長孔３３ａの重合する範囲において、前後左右方向の角度位置の調整が可能となるのである。
【００３７】
そして、前記螺旋杭３１に固着された前記架設基礎材３２の取付部材３２ｂに、前記アーチ状部材１１の下端部を差し込んで、前記ボルト孔１１ｂ，３２ｃを符合させて前記ボルトＢとナットＮで締結して固定するである。
【００３８】
以上の構成からなる農業用温室の基礎構造は、例えば次のような工法で施工される。
【００３９】
図１０は、基礎構造の施工法の一例を示す概略図であり、図１１（ａ）は基礎杭と架設基礎材の接続構造を示す概略分解斜視図であり、（ｂ）は取付金具の拡大図である。
【００４０】
図１０（ａ）に示すように、先ず、農業用温室１０の施工場所に、前記アーチ状部材１１の下端を埋設する箇所に沿って、奥行方向に向け、２００ｍｍ〜３００ｍｍ程度の深さの条溝Ｍを掘る。次に、図１０（ｂ）に示すように、前記条溝Ｍに、列状に前記螺旋杭３１を３ｍ〜５ｍ程度の間隔で油圧ショベルのような小型建機を使用して打ち込む。このとき、前記螺旋杭３１はスクリュー式であるので、各螺旋杭３１，３１間の杭頭の高さ調整を容易に行うことができる。
【００４１】
次に、図１０（ｃ）及び図１１に詳細に示すように、前記螺旋杭３１，３１間に前記架設基礎材３２を架け渡して、前記架設基礎材３２の両端に開設されたボルト孔３２ａと前記取付金具３３のボルト孔３３ｂとを符合させて、前記ボルトＢとナットＮとで締結固定し、併せて、前記取付金具３３の長孔３３ａと前記基板３１ｄの長孔３１ｅとを、前記架設基礎材３２とが一直線に架設されるように位置調整して、前記ボルトＢとナットＮとで締結固定するのである。
【００４２】
そして、前記架設基礎材３２を連結固定する場合は、図６に示すように、前記基板３１ｄ上で、前記架設基礎材３２，３２を突き合わせた状態で、前記した要領で、前記取付金具３３を使用して固定してゆくのである。
【００４３】
次に、前記架設基礎材３２の取付部材３２ｂに、順次、前記アーチ状部材１１の下端を挿入し、前記ボルト孔１１ｂ，３２ｃを符合させて、前記ボルトＢとナットＮとで締結固定してゆく。全ての前記アーチ状部材１１を立設した後に、前記条溝Ｍを埋設するのである。
【００４４】
なお、前記農業用温室１０の両側面の前記条溝Ｍ，Ｍは、前記農業用温室１０の側面のフィルム材Ｆを張設し、その下端を前記条溝Ｍ内に垂らしておいてから、埋設すると良い。その場合は、改めて前記フィルム材Ｆの下端を埋設するための掘り起こし作業を行わなくても良く、作業効率の優れたものとなる。
【００４５】
また、前記取付金具３３は、図１２に示す他の取付金具４１を使用しても良い。この場合は、前記取付金具４１は、アングル材を適宜長さに切断して製造することができるので、安価かつ容易に前記取付金具４１を製造することができる。
【符号の説明】
【００４６】
１０    農業用温室
１１    アーチ状部材
１１ａ  支柱材
１１ｂ  ボルト孔
１２  （頂部）接続部材
１３    棟材
１４  （棟材取付用）接続金具
１５〜２０  桁材
２１    樋
２２    妻面
２３    出入口
２４    自在金具
２５    間柱
３０    基礎構造
３１    螺旋杭
３１ａ  杭本体
３１ｂ  掘削部
３１ｃ  螺旋状リブ
３１ｄ  基板
３１ｅ  長孔
３２    架設基礎材
３２ａ  ボルト孔
３２ｂ（支柱）取付部材（円筒形）
３２ｃ  ボルト孔
３３    取付金具
３３ａ  長孔
３３ｂ  ボルト孔
４１    取付金具
Ｘ      間口方向
Ｙ      奥行方向
Ｍ      条溝
ＧＬ    地面
Ｆ      フィルム材
Ｂ      ボルト
Ｎ      ナット
Ｊ      重合位置
【図１】
2013169200.tif 000003
【図２】
2013169200.tif 000004
【図３】
2013169200.tif 000005
【図４】
2013169200.tif 000006
【図５】
2013169200.tif 000007
【図６】
2013169200.tif 000008
【図７】
2013169200.tif 000009
【図８】
2013169200.tif 000010
【図９】
2013169200.tif 000011
【図１０】
2013169200.tif 000012
【図１１】
2013169200.tif 000013
【図１２】
2013169200.tif 000014